(57)【要約】【課題】ケーブルのいずれの部分でもケーブルを容易に識別することができる方式を提案することを目的とする。【解決手段】本発明の一形態に係る識別機能付きケーブルは、ケーブルの外皮に複数個配置された、通電により発光する発光体と、前記発光体に給電するための導体とを備える。前記発光体及び前記導体は、前記ケーブルと共に透明又は半透明な外皮によって覆われてもよい。前記発光体及び前記導体は、透明又は半透明な外皮で覆われた発光テープとして形成され、前記発光テープは、前記ケーブルに螺旋状に巻き付けられてもよい。【選択図】図３
2018097912.tif 000002
【特許請求の範囲】
【請求項１】
ケーブルの外皮に複数個配置された、通電により発光する発光体と、
前記発光体に給電するための導体と、
を備える識別機能付きケーブル。
【請求項２】
前記発光体及び前記導体は、前記ケーブルと共に透明又は半透明な外皮によって覆われる、請求項１に記載の識別機能付きケーブル。
【請求項３】
前記発光体及び前記導体は、透明又は半透明な外皮で覆われた発光テープとして形成されており、
前記発光テープは、前記ケーブルに螺旋状に巻き付けられている、請求項１に記載の識別機能付きケーブル。
【請求項４】
前記発光体は、前記導体によって並列に接続される、請求項１乃至３のうちいずれか１項に記載の識別機能付きケーブル。
【発明の詳細な説明】
【技術分野】
【０００１】
本発明は、識別機能付きケーブルに関し、複数のケーブルの中からケーブルを識別するときの識別性を高める方式に関する。
【背景技術】
【０００２】
通信機械室には、多くのケーブルが敷設されている。ケーブルの増設や撤去を行う際には、既設ケーブルの種別や接続先を識別する必要がある。
【０００３】
ケーブルを識別する為、接続先やケーブル種別等のケーブル情報を書き込めるタグを、ケーブルに取り付ける方法がある。例えば、図１（ａ）に示すように紙や樹脂製のタグを紐で括り付ける方式（非特許文献１参照）や、図１（ｂ）に示すようにシールを巻きつけて貼る方式（非特許文献２参照）、あるいは図１（ｃ）及び（ｄ）に示すように樹脂製のタグでケーブルを挟み込んで留める方式（非特許文献１参照）がある。
【先行技術文献】
【非特許文献】
【０００４】
【非特許文献１】「ファイバータグ」、「マークバンド」、サンワサプライ株式会社、インターネット<http://www.sanwa.co.jp/product/cable/cableacc/cableacc_01.html>、２０１６年１１月８日検索
【非特許文献２】「ケーブル識別シール」、サンワサプライ株式会社、インターネット<http://www.sanwa.co.jp/product/syohin.asp?code=LB-LAN2>、２０１６年１１月８日検索
【発明の概要】
【発明が解決しようとする課題】
【０００５】
従来の方式では、ケーブル端の認識には優れているが、複数のケーブルを積み重ねて敷設している中間地点においては、タグによってケーブルが嵩張る。また、中間地点にタグを取り付けた場合には、タグの向きなどによって、視認性が悪い。
【０００６】
ケーブルの撤去を行う場合には、束ねられた中から必要なものだけをミスなく抜去する必要があり、確実な認識が必要となり、従来の方式では、ケーブル識別は困難である。
【０００７】
本発明は、ケーブルのいずれの部分でもケーブルを容易に識別することができる方式を提案することを目的とする。
【課題を解決するための手段】
【０００８】
本発明の一形態に係る識別機能付きケーブルは、
ケーブルの外皮に複数個配置された、通電により発光する発光体と、
前記発光体に給電するための導体と、
を備えることを特徴とする。
【発明の効果】
【０００９】
本発明によれば、ケーブルのいずれの部分でもケーブルを容易に識別することが可能になる。
【図面の簡単な説明】
【００１０】
【図１】ケーブルを識別するための従来の方式を示す図
【図２】本発明の実施例１に係るケーブルの断面図
【図３】本発明の実施例１に係るケーブルの全体図
【図４】本発明の実施例１に従ってケーブルを識別する様子を示す図
【図５】本発明の実施例２に係るケーブルで用いられる発光テープの断面図
【図６】本発明の実施例２に係るケーブルで用いられる発光テープの全体図
【図７】本発明の実施例２に係る発光テープが巻き付けられたケーブルの全体図
【発明を実施するための形態】
【００１１】
以下、図面を参照して本発明の実施例について説明する。
【００１２】
本発明の実施例では、発光体を用いてケーブルの識別性を高める方式について説明する。発光体は、ケーブルの外皮に複数個配置され、通電により発光する。また、発光体に給電するための導体が用いられる。以下、本発明の実施例に係る識別機能付きケーブルの具体例について詳細に説明する。
【００１３】
＜実施例１＞
図２に、本発明の実施例１に係るケーブルの断面図を示し、図３に、本発明の実施例１に係るケーブルの全体図を示す。本発明の実施例１に係るケーブルは、ケーブルの導体１１を覆うケーブルの外皮１２に配置された発光体１３と、発光体１３に給電するための給電用導体１４と、透明な外皮１５とで構成された識別機能付きケーブルである。
【００１４】
発光体１３は、導体１４によって並列又は直列に接続される。発光体１３は、給電用導体１４に発光用電源装置を接続して通電させることによって発光する。例えば、発光体１３として、ＬＥＤ（light emitting diode）等が用いられる。通常では、発光体１３は、ケーブルの長手方向に一定の間隔で複数個配置されるが、発光体１３の間の間隔は必ずしも一定の間隔でなくてもよい。
【００１５】
発光体１３及び導体１４は、ケーブル１１、１２と共に透明な外皮１５によって覆われる。なお、透明な外皮１５は、必ずしも透明である必要はなく、発光体の光を通しさえすれば半透明な外皮が用いられてもよい。
【００１６】
図４は、このようなケーブルを識別する様子を示す図である。撤去等の為にケーブルを識別したいとき、識別対象ケーブルの端に発光用電源装置を接続する。例えば、ケーブルの端の部分の透明な外皮１５をはがして出てきた２本の給電用導体に発光用電源装置を接続する。発光用電源装置を接続した後、発光体への給電用導体へ給電すると、識別対象ケーブルの発光体が全長に渡って発光する。したがって、作業者は、ケーブルの中間地点であっても、敷設されている複数のケーブルの中から、発光したケーブルを目視で容易に識別できる。
【００１７】
＜実施例２＞
次に、発光体及び導体を透明な外皮で覆った発光テープを用いて、ケーブルを識別する例について説明する。
【００１８】
図５に、本発明の実施例２に係るケーブルで用いられる発光テープ２６の断面図を示し、図６に、本発明の実施例２に係るケーブルで用いられる発光テープ２６の全体図を示す。
【００１９】
発光テープ２６は、発光体２３及び発光体２３に給電するための給電用導体２４を透明な外皮２５で覆うことにより形成される。
【００２０】
発光体２３は、導体２４によって並列又は直列に接続される。発光体２３は、給電用導体２４に発光用電源装置を接続して通電させることによって発光する。例えば、発光体２３として、ＬＥＤ（light emitting diode）等が用いられる。通常では、発光体２３は、発光テープの長手方向に一定の間隔で複数個配置されるが、発光体２３の間の間隔は必ずしも一定の間隔でなくてもよい。
【００２１】
また、透明な外皮２５は、必ずしも透明である必要はなく、発光体の光を通しさえすれば半透明な外皮が用いられてもよい。
【００２２】
図７に示すように、発光テープ２６は、ケーブルの導体２１を覆うケーブルの外皮２２に螺旋状に巻き付けられる。その結果、発光テープ２６が巻き付けられた識別機能付きケーブルが構成される。
【００２３】
図４を参照して説明した通り、実施例２においても、撤去等の為にケーブルを識別したいとき、識別対象ケーブルに巻き付けられた発光テープの端に発光用電源装置を接続する。例えば、ケーブルの端の部分において発光テープの透明な外皮２５をはがして出てきた２本の給電用導体に発光用電源装置を接続する。発光用電源装置を接続した後、発光体への給電用導体へ給電すると、識別対象ケーブルに巻き付けた発光テープが全長に渡って発光する。したがって、作業者は、ケーブルの中間地点であっても、敷設されている複数のケーブルの中から、発光テープの巻き付けられたケーブルを目視で容易に識別できる。
【００２４】
＜本発明の実施例の効果＞
本発明の実施例によれば、ケーブルの末端付近だけでなく、中間部分においてもケーブルを容易に識別できる。従来、ケーブルが異なる部屋に渡って敷設されたりして、ケーブルの末端から接続先を探れない場合でも、本発明の実施例によって容易にケーブルを識別することができる。
【００２５】
また、ケーブルのタグを取り付けた特定の部分においてケーブルが嵩張るという状況を回避することができる。
【００２６】
これにより、ケーブルの撤去工事を容易にすることができ、ケーブルを誤って切断して感電したり、サービスが停止したり、誤った工事をするリスクを小さくできる。また，安全のために、不要なケーブルを敷設したままにしておく場合が多いが、本発明の実施例により、容易な敷設が可能になり、機械室内の適正利用につながると共に、気流の空間が確保され、空調改善につながる可能性がある。
【００２７】
なお、発光体を並列に接続することにより、ケーブル長が長くなっても発光体の明るさが変わることなく識別性を保つことができる。また、給電用導体の断線による影響も最小限に抑えることができる。
【００２８】
以上、ケーブルのいずれの部分でもケーブルを容易に識別することができる方式について説明したが、本発明は、上記の実施例に限定されることなく、特許請求の範囲内において、種々の変更・応用が可能である。
【符号の説明】
【００２９】
１１、２１  ケーブルの導体
１２、２２  ケーブルの外皮
１３、２３  発光体
１４、２４  給電用導体
１５、２５  透明な外皮
２６        発光テープ
【図１】
2018097912.tif 000003
【図２】
2018097912.tif 000004
【図３】
2018097912.tif 000005
【図４】
2018097912.tif 000006
【図５】
2018097912.tif 000007
【図６】
2018097912.tif 000008
【図７】
2018097912.tif 000009